(57)【要約】      （修正有）【課題】スプレー罐のノズルを確実に開放のできる装置を提供する。【解決手段】装置基枠６に復帰ばね１８の付勢に抗して移動手段によってスプレー罐ホルダーを先端部において移動自在に組付ける。そして、スプレー罐ホルダーに着脱自在に組付けるスプレー罐１０のノズル材１０Ｂ側を当接させる受圧片１６をスプレー罐ホルダー１１の先端部に、罐本体１０Ａ側を当接させる押圧片を操作片の後端部にそれぞれ設ける。さらに、操作片をスプレー罐ホルダーにホルダーの先端部方向にコイルばねによって移動付勢させて組付け、操作片の先端に押圧子を設ける。またこの押圧子が前記コイルばねの付勢によって圧接する摺接縁を装置基枠６にホルダーの移動方向に沿わせて設け、摺接縁の中間部に適宜の長さの凹入縁部を設ける。【選択図】図１
2004202360.tif 000002
【特許請求の範囲】
【請求項１】
移動手段によって移動させるスプレー罐ホルダーを、装置基枠に先端部において移動自在に組付け、該スプレー罐ホルダーに着脱自在に組付けるスプレー罐のノズル材側を当接させる受圧片をスプレー罐ホルダーの前記先端部に、罐本体側を当接させる押圧片を操作片の後端部にそれぞれ設けると共に、前記操作片を前記スプレー罐ホルダーに該ホルダーの前記先端部方向にコイルばねによって移動するように付勢させて組付け、該操作片の先端に押圧子を設け、この押圧子が前記コイルバネの付勢によって圧接する摺接縁を前記装置基枠に前記ホルダーの移動方向に沿わせて設け、該摺接縁の中間部に適宜の長さの凹入縁部を設けた、スプレー罐のノズル開放装置。
【請求項２】
装置基枠に復帰ばねの付勢に抗して移動手段によってスプレー罐ホルダーを先端部において移動自在に組付け、該スプレー罐ホルダーに着脱自在に組付けるスプレー罐のノズル材側を当接させる受圧片をスプレー罐ホルダーの前記先端部に、罐本体側を当接させる押圧片を操作片の後端部にそれぞれ設けると共に、前記操作片を前記スプレー罐ホルダーに該ホルダーの前記先端部方向にコイルばねによって移動するように付勢させて組付け、該操作片の先端部によって前記復帰ばねの付勢方向に相対する内面が押圧されて前記装置基枠に設けた案内片に沿って移動する制御片と前記案内片のそれぞれに、前記操作片の先端側に設けた押圧子が前記コイルばねの付勢によって圧接する摺接縁を前記スプレー罐ホルダーの移動方向に沿わせて設け、該摺接縁を突縁部と凹入縁部とで構成し、案内片側の摺接縁は前記押圧子の前記復帰ばねに抗して移動する始点と終点の両位置にのみ前記突縁部、他を凹入縁部とすると共に、制御片側の摺接縁は、前記復帰ばねの付勢に抗して該制御片が移動するときの前記押圧子が位置する側の一半を突縁部、他の一半部を凹入縁部とした、スプレー罐のノズル開放装置。
【請求項３】
把手兼用の支柱に装置基枠を片持ち梁状にして傾斜させて取付け、ノズル材に下方向にした管状のノズルを設けると共に、前記支柱に設けた操作レバーを仲介線を介してスプレー罐ホルダーに連けいさせた、請求項２記載のスプレー罐のノズル開放装置。
【発明の詳細な説明】
【０００１】
【産業上の利用分野】
本発明は、罐本体の先端に設けたノズル材を罐本体方向に押圧するとノズル材に設けたノズルより前記罐本体内に収容した液体が噴霧状に噴出し、押圧操作を中止すると前記ノズルが自動的に閉じることができるようにしたスプレー罐のノズル開放装置に関するものである。スプレー罐は、罐本体に収容した液体の相違によって種々のものがあるが、本発明は、概し、塗料用スプレー罐に適用するものである。
【０００２】
【従来の技術】
罐本体を手先で保持して、ノズル材を指先でコントロールするようにして罐本体内の液体の噴出、中止を行っており、スプレー罐自体は、手先乃至指先の操作によってノズルの開放を行うような構造にもなってもいる。
【０００３】
本発明は、手先によるスプレー罐のノズルの開放操作を機械的操作に代えることのできる装置を提供すべく創案したものである。
【０００４】
【課題を解決するための手段】
装置基枠に復帰ばねの付勢に抗して移動手段によってスプレー罐ホルダーを先端部において移動自在に組付け、該スプレー罐ホルダーに着脱自在に組付けるスプレー罐のノズル材側を当接させる受圧片をスプレー罐ホルダーの前記先端部に、罐本体側を当接させる押圧片を操作片の後端部にそれぞれ設けると共に、前記操作片を前記スプレー罐ホルダーに該ホルダーの前記先端部方向にコイルばねによって移動するように付勢させて組付け、該操作片の先端部によって前記復帰ばねの付勢方向に相対する内面が押圧されて前記装置基枠に設けた案内片に沿って移動する制御片と前記案内片のそれぞれに、前記操作片の先端側に設けた押圧子が前記コイルばねの付勢によって圧接する摺接縁を前記スプレー罐ホルダーの移動方向に沿わせて設け、該摺接縁を突縁部と凹入縁部とで構成し、案内片側の摺接縁は前記押圧子の前記復帰ばねに抗して移動する始点と終点の両位置にのみ前記突縁部、他を凹入縁部とすると共に、制御片側の摺接縁は、前記復帰ばねの付勢に抗して該制御片が移動するときの前記押圧子が位置する側の一半を突縁部、他の一半部を凹入縁部とした、構成としたものである。
【０００５】
【作用】
スプレー罐ホルダーにノズル材を受圧片側に罐本体を押圧片側に配して両片で挟持させるようにスプレー罐を組付けると、押圧片を備えた操作片は、前記ホルダーにコイルばねによって該ホルダーの先端側方向すなわち受圧片方向に移動するように付勢されているから、押圧片はスプレー罐の罐本体を受圧片方向に常時押圧している状態にあって、該押圧（押圧片の移動）は、操作片の先端側に設けた押圧子が案内片に設けた摺接縁の突縁部に接触して規制され（このとき、制御片の摺接縁の凹入縁部位置にも前記押圧子は位置している）、従って、スプレー罐のノズルは開放しない状態にある。
【０００６】
この状態時に、復帰ばねの付勢に抗して移動手段によってスプレー罐ホルダーを移動させると、該スプレー罐ホルダーに組付けた操作片も同時にホルダーの移動方向に移動し、操作片の先端は前記復帰ばねの付勢に抗して制御片の相対する内面の一方を押圧し、これを移動させる。そして、この時に、案内片側の摺接縁の突縁部に接していた押圧子は凹入縁部位置に移動するが、同時に制御片側の摺接縁の凹入縁部から突縁部位置に移動するため、コイルばねの作用は規制され、操作片すなわち押圧片は当初の位置にあってノズルの開放操作は行われない。すなわち、制御片の移動時には操作片の先端が制御片を伴って移動することになるから往路時にあっては押圧子が当該制御片の摺接縁の突縁部に接触（圧接）した状態が維持され、コイルばねの付勢は押圧片側に現れることがない。
【０００７】
そして、制御片を移動死点位置まで移動させると、押圧子は案内片と制御片の摺接縁の互いに重なり合った各突縁部に接触する位置に位置することになり、かつ、両片の摺接縁の凹入縁部は互いに重なり合うように位置する。
【０００８】
この状態でスプレー罐ホルダーに対する外力の負荷を中止すると、復帰ばねの付勢によってスプレー罐を組付けたスプレー罐ホルダーは原位置方向へ復帰しようとし、それに伴って操作片も当該原位置方向へと移動するため、操作片の先端は制御片の前記相対する内面の他方を押圧し、該制御片を伴って移動することになり、かつ、このとき、押圧子は制御片および案内片の摺接縁の突縁部位置から凹入縁部位置にコイルばねの付勢によって係合することになり、案内片側の凹入縁の長さ分当該係合状態は継続される。そして、この係合状態中、コイルばねの付勢に操作片に設けた押圧片がスプレー罐の罐本体を押圧し、その外力をノズル材側の受圧片が受けることになるから、罐本体は移動し、ノズルの開放が行われ、本体内の液体が噴霧状になって噴出することになり、前記の通り、案内片側の凹入縁の長さ分すなわち、押圧子が該凹入縁に係合している時間分噴出操作が行われ、その長さは、コイルばねが強くなればなる程短かくすることができる。
【０００９】
そして、制御片が原位置に復帰すると（復帰ばねの作用が中止される）、押圧子は案内片の摺接縁の突縁部に再び乗り上がることになり、ノズルは閉塞されるのである。
【００１０】
【発明の実施の形態】
図面は本発明に係るスプレー罐のノズル開放装置の一実施形態を示し、図１は一部欠截正面図、図２は図１の一部欠截拡大図、図３は図２の平面図、図４は図３のｙ−ｙ線断面図、図５は押圧子と摺接縁の関係の断面図、図６はレール締結装置にマーカーを付した状態の平面図である。
【００１１】
図示のスプレー罐のノズル開放装置は、軌道レールを交替する際、旧レールの枕木締結装置を用いて新レールを枕木に締結する際、当該枕木締結装置の各構成材の相対的な位置関係を誤まりなく互いに組付けるために旧レールの締結状態時に予め該締結装置部分にマーカー（直線状の目印）を表示するために用いるマーカー表示器（従来例はない）に本発明を適用したものである。
【００１２】
実施形態のマーカー表示器Ａは、操作レバー１の操作によって塗料用スプレー罐１０を所定距離移動させ、その移動中に、塗料用スプレー罐１０の罐本体１０Ａを、該罐本体１０Ａの先端側に設けたノズル材１０Ｂ方向に押圧して移動させ、ノズル１０Ｂ´より塗料を噴出させ（スプレー罐は、通常、ノズル材側を移動させて噴出させる。）、締結装置Ｂ表面に線状のマーカー（塗料層）を施こすようにしたものであるが、本装置の適用は実施形態の表示器Ａに限る必要がないことは勿論である。
【００１３】
前記操作レバー１は支柱２の上端に中間部において支軸３８において回動自在に枢着したもので、この操作レバー１の回動操作によって該レバー１の先端に一端（上端）を止着した線体３に緊張（テンション）状態と該緊張状態後の弛緩状態が生じ、この結果、前記の通り、ノズル１０Ｂ´より塗料が噴出するようになっている。
【００１４】
支柱２は、表示器Ａの携帯時（移動時）や使用時における把手ともなるもので、径の大きい上部管２Ａに細い下部管２Ｂを嵌挿して伸縮自在と成し、上部管２Ａ側に設けた締付ねじ４の先端を下部管２Ｂに圧接することにより一定の長さに保持させるようにしたもので、下部管２Ｂの下端には前記締結装置Ｂのボルトの頭部ａに必要に応じて係合して位置決めとする、下面開口の係合片５を設けてある。
【００１５】
この支柱２の前記下部管２Ｂには、装置基枠６を片持ち梁状にして取付け、装置基枠６は、上部６´側を水平方向に配したへの字形の一対の基片６Ａ，６Ａの上端部と中間部および下端部のそれぞれの間にスペーサー６Ｂ，６Ｂ´，６Ｂ´を介在させ，これらを組付けボルト７と組付けナット８で互いに組付け、前記支柱２（下部管２Ｂ）を貫通させた上端部のスペーサ６Ｂの場合は、前記組付けボルト７と組付けナット８を前記支柱２を介する一側側に配し、スリット９を設けた他の一側側に配した組付けボルト７には前記組付けナット８に代る蝶ナット８Ａを螺合して構成したもので、蝶ナット８Ａを緩めることによって前記スリット９をわずかに開かせて支柱２に沿って移動させ、所定の位置において当該蝶ナット８Ａを締付けることによって定置させ、高さ位置を自在に調節できるようにしてある。
【００１６】
この装置基枠６の傾斜状の下部６´´側の下面側（支柱２の下端部側）には、スライドレール装置１２を介してスプレー罐ホルダー１１を該傾斜状の下部６´´に沿わせて縦動自在に組付けてある。
【００１７】
スプレー罐ホルダー１１は、前記スライドレール装置１２を介して前記装置基枠６に組付けたホルダー基板１３にホルダー筒１４の先端側を支持させるようにして連設し、このホルダー筒１４に挿脱可能に嵌挿した前記スプレー罐１０を、後端側（底面側）を押圧片１５で先端側を受圧片１６で挟持させるようにしてスプレー罐１０を保持するようにしたものである。
【００１８】
前記スライドレール装置１２は、装置基枠６の前記下部６´´側の一対のスペーサ６Ｂ´，６Ｂ´にわたして固定した雌レール片１２Ａとスプレー罐ホルダー１１側の前記ホルダー基板１３に止着した雄レール片１２Ｂ間に鋼球を転動自在に支持させた仲介片１２Ｃを介在させて構成し、鋼球の存在によって雌雄のレール片１２Ａ，１２Ｂは互いに自在に移動できるようにした公知のもので、雌レール片１２Ａの長手方向の一端側である下部と雄レール片１２Ｂの前記長手方向の他の一端側である上部のそれぞれに支杆１７，１７´を立設し、該支杆１７，１７´のそれぞれに復帰ばね（コイルスプリング）１８の端部を係止して両杆１７，１７´間に架設し、上側の支杆１７´には前記線体３の下端（先端）を接続したものである。
【００１９】
すなわち、このスライドレール装置１２は、操作レバー１を操作して線体３を引張ると（線体３にテンションをかけると）、装置基枠６に設けた雌レール片１２Ａ側が不動側となってスプレー罐ホルダー１１の雌レール片１２Ｂが移動側となって、復帰ばね１８の付勢に抗して移動し（上昇し）、操作レバー１による引張り操作を中止すると復帰ばね１８の付勢によって雄レール片１２Ｂ（スプレー罐ホルダー１１）は降下し、原位置に復帰するようにしたものである。
【００２０】
また、前記スプレー罐ホルダー１１は、管体で成る前記ノズル１０Ｂ´を着脱自在に取付けるようにした市販のスプレー罐１０を保持するようにしたもので、前記ホルダー基板１３に立設した前記受圧片１６にホルダー筒１４に嵌挿したスプレー罐１０のノズル材１０Ｂの先端面を当接させ、スプレー罐１０の後端面（底面）には前記押圧片１５を当接させるようにしてスプレー罐１０を保持させ、受圧片１６に設けた透孔を通じて前記ノズル材１０Ｂにノズル１０Ｂ´を嵌挿して組付けるようにしたものである。
【００２１】
スプレー罐１０の後端側を保持する押圧片１５は、Ｌ形片で成り、ホルダー筒１４の後端に該ホルダー筒１４に設けた切欠１９の開口端部に該一片１５ａを部分的に係合させるようにして他の一片１５ｂを蝶ボルト２０によって操作片２１の後端に止着したもので、操作片２１に伴ってホルダー筒１４（スプレー罐１０）の先端方向に移動し、スプレー罐１０の本体１０Ａを押圧するようにしてある。
【００２２】
なお、押圧片１５の一片１５ｂにホルダー筒１４の前記長手方向に沿って長い長孔３９を設けてあるのは、該押圧片１５とスプレー罐１０との位置関係を調節するためである。
【００２３】
押圧片１５を後端側に組付けた前記操作片２１は、中間部を前記ホルダー筒１４と該ホルダー筒１４にボルト締めした一対の保持片２２，２２´に保持され、ホルダー筒１４の長手方向に沿って移動自在に配したもので、保持片２２，２２´間の該操作片２１の中間部と操作片２１の先端側を保持する保持片２２のそれぞれに第二支杆２３，２３´間に張設したコイルばね２４によってスプレー罐ホルダー１１（ホルダー筒１４）の先端方向に移動するように付勢され、その付勢は、操作片２１の先端に設けた押圧子２５が前記装置基枠６側に設けた案内片２６と制御片２７の摺接縁２８，２９に圧接して規制される。
【００２４】
前記装置基枠６を構成する一方の基片６Ａには、取付部片２６ａと案内部片２６ｂより成る断面Ｌ字形の前記案内片２６を、取付部片２６ａにおいて板ばね３０と共にビス３１で止着し、この案内片２６の前記案内部片２６ｂと板ばね３０の立上り部片３０ｂとの間には、板ばね３０の先端部片３０ａで前記基片６ａ乃至取付部片２６ａ方向に軽く押え付けるようにして前記制御片２７を介在させて摺嵌して組付け、制御片２７を方形枠状にして設けた、前記基片６Ａ乃至規制片２６の長手方向に沿う方向に長い空隙３２に前記操作片２１の先端部２１Ａを遊嵌し、制御片２７は、操作片２１の先端部２１Ａによって前記空隙３２の長手方向に（スプレー間ホルダー１１の移動方向に）相対する内面３２´，３２´´を押圧されて、その押圧された方向（すなわち、基片６Ａの長手方向）に移動するようにしてある。
【００２５】
前記板ばね３０は互いに並行関係に配した取付部片３０ｃと先端部片３０ａとの間に前記立上り部片３０ｂを配して構成し、取付部片３０ｃを前記案内片２６の取付部片２６ａと重ね合わせて前記の通り、ビス３１によって基片６Ａに止着し、立上り部片３０ｂ部が規制片２６の案内部片２６ｂとで間隙を構成し、該間隙内に摺嵌した前記制御片２７を先端部片３０ａで軽く押え付けて、操作片２１の先端部２１Ａを介しての外力の負荷が中断した状態では制御片２７の当該状態位置を保持するものである。すなわち、制御片２７は板ばね３０が圧接することにより規制片２６の長手方向に沿う適宜の位置で定置する。
【００２６】
操作片２１の先端部２１Ａ側に設けた前記押圧子２５は実施形態ではローラで構成するが、これは騒音の発生防止と案内片２６や制御片２７の端縁で構成する摺接縁２８，２９に沿ってコイルばね２４の作用による圧接しながらの移動を円滑に行わせるためで、これらを無視すればローラ形式のものでなくとも差し支えはない。
【００２７】
また、押圧子２５は、操作片２１のホルダー筒１４側の片面、すなわち、前記押圧片１５がスプレー罐１０の底面を押圧している側の片面に配し、前記コイルばね２４の付勢によって、案内片２６側の摺接縁２８と制御片２７側の摺接縁２９の一方又は双方に常時圧接するように配されている。
【００２８】
案内片２６側の摺接縁２８は、前記復帰ばね１８の付勢に抗して移動する始点部（案内片２６の長手方向の一端）と終点部（案内片２６の長手方向の他の一端）を突縁（直縁）部２８ａ，２８ａ´とし、該突縁部２８ａ，２８ａ´間の中間部を凹入縁部２８ｂと成し、凹入縁部２８ｂに押圧子１５がコイルばね２４の付勢によって係合したときは、該押圧子１５を備えた操作片２１も押圧子１５が凹入縁部２８ｂに係合する方向すなわち操作片の後端から先端方向に移動し、押圧片１５がスプレー罐本体１０Ａを押圧するような関係にしてある。
【００２９】
制御片２７側の摺接縁２９は、該制御片２７の前記空隙３２に係合した駆動片先端部２１Ａの一端２１Ａ´が該空隙３２の一端（制御片２１の一方の内面）３２´に接触したときに前記押圧子２５が係合する位置関係にして一半側に凹入縁２９ｂを設け、他の一端２１Ａ´´が空隙３２の他の一端（制御片２１の他の一方の内面）３２´´に接触したときに前記押圧子２５が係合する位置関係にして前記凹入縁２９ｂに隣接する他の一半側に突縁部（直縁）２９ａを設けたものである。
【００３０】
すなわち、復帰ばね１８がスプレー罐ホルダー１１に作用していないときは、操作片先端部２１Ａは空隙３２の一端（一方の内面）３２´側にあって、この先端部２１Ａの位置関係によって制御片２７は案内片２６の一端側に偏した位置にあることになって、該制御片２７側の凹入縁部２９と案内片２６側の一方の突縁部２８ａが互いに重なり合う位置関係に存することになり、コイルばね２４の付勢による押圧子２５の、制御片２７側の凹入縁部２９ｂへの係合は案内片２６側の突縁部２８ａの存在によって阻止されることになるのである。このように、案内片２２と制御片２７の突縁部２８ａ，２８ａ´，２９ａに押圧子２５が接触する位置関係にあるときは凹入縁２８ｂ，２９ｂへの押圧子２５の係合が規制され、凹入縁２８ｂ，２９ｂが一致したときのみ、コイルばね２４の作用により操作片２１は前進し、押圧子２５が摺接縁２８，２９の凹入縁部２８ｂ，２９ｂに係合するようにしてある。
【００３１】
しかして、スプレー罐ホルダー１１にノズル材１０Ｂを受圧片１６側に罐本体１０Ａを押圧片１５側に配して両片１６，１５で挟持させるようにしてスプレー罐１０を組付けると、押圧片１５を備えた操作片２１は前記ホルダー１１にコイルばね２４によって該ホルダーの先端側方向すなわち前記受圧片１６方向に移動するように付勢されているから、押圧片１５はスプレー罐１０の罐本体１０Ａを受圧片１６方向に常時押圧している状態にあることになる。そして、該押圧（押圧片の移動）は、操作片２１の先端側に設けた押圧子２５が案内片２６に設けた摺接縁２８の突縁部２８ａに接触して規制され（このとき、制御片２７の摺接縁２９の凹入縁部２９ｂ位置にも前記押圧子２５は位置している）、従って、スプレー罐１０のノズルは開放しない状態にある。
【００３２】
このようにスプレー罐ホルダー１０を組付けた状態にして係合片５を締結装置Ｂのボルト頭部ａに係合するようにして位置決めして把手兼用の支柱２の上端部に組付けた操作レバー１を操作して線体３を復帰ばね１８の付勢に抗して引張ると、線体３の先端はスプレー罐ホルダー１１に接続してあるのでスライドレール装置１２の存在によって該ホルダー１１は装置基枠６の傾斜状の下部６´´に沿って移動、上昇することになる。
【００３３】
そしてこのスプレー罐ホルダー１１の移動（上昇）中、該スプレー罐ホルダー１１に組付けた（搭載した）操作片２１も同時にホルダーの移動方向に伴われて移動し、操作片２１の先端部２１Ａは前記復帰ばね１８の付勢に抗して空隙３２を一端（一方の内面）３２´側から他の一端（他の一方の内面）３２´´側に移動して制御片２７を押圧し、これを移動させる。そして、この時に、案内片２６側の摺接縁２８の一方の突縁部２８ａに接していた押圧子２５は凹入縁部２８ｂ位置に移動するが、同時に制御片２７側の摺接縁２９の凹入縁部２９ｂから突縁部２９ａ位置に移動するため、コイルばね２４の付勢作用は規制され、操作片２１すなわち押圧子２５はコイルばね２４が作用する方向においては当初の位置を維持する。すなわち、操作片２１のコイルばね２４の付勢に抗する移動時に伴う制御片２７の移動時には押圧子２５が当該制御片２７の摺接縁２９の突縁部２９ａに接触（圧接）した状態が維持され、コイルばね２４の付勢は押圧片１５側に現れることがない。
【００３４】
そして、制御片２７を移動死点位置まで移動させると、押圧子２５は案内片２６と制御片２７の摺接縁２８，２９の互いに重なり合った各突縁部２８ａ´，２９ａに接触する位置に位置することになり、かつ、両片２６，２７の摺接縁２８，２９の凹入縁部２８ｂ，２９ｂは互いに重なり合うように位置する（要するに、制御片２７の往路移動中は該制御片２７の突縁部２９ａに押圧子２５が接してコイルばね２４の付勢作用は規制される）。この状態で操作レバー１による線体３の引っ張り操作を中止すると、復帰ばね１８は自由状態となり、この復帰ばねの付勢によってスプレー罐１０を組付けた（搭載した）スプレー罐ホルダー１１は原位置方向へ復帰（降下）しようとし、それに伴って操作片２１も当該原位置方向へと移動するため、操作片２１の先端部２１Ａは制御片２１の空隙３２内を移動し、一端（片面）３２´´から他の一端（片面）３２´側へ移動してこれを押圧し、該制御片２７を押圧して（伴って）移動することになり、かつ、このとき、押圧子２５は制御片２７および案内片２６の摺接縁２８，２９の突縁部２８ａ´，２９ａ位置から凹入縁部２８ｂ，２９ｂ位置にコイルばね２４の付勢によって係合することになり、案内片２６側の凹入縁部２８ｂの長さ分当該係合状態は継続される。そして、この係合状態中、コイルばね２４の付勢によって操作片２１に設けた押圧片１５がスプレー罐１６の罐本体１０Ａを押圧し、その外力をノズル材１０Ｂ側の受圧片１６が受けることになるから、罐本体１０Ａは移動し、ノズルの開放が行われ、本体内の塗料（液体）が噴霧状になって噴出して、締結装置Ｂにマーカーｍが線状になって施される。なお、前記の通り、案内片２６側の凹入縁部２８ｂの長さ分すなわち、押圧子２５が該凹入縁部２８ｂに係合している時間分噴出操作が行われ、その時間的長さは、復帰ばね１８の強弱によって決まり、強いほど、時間的に短かくなりノズル１０Ｂ´から噴出して描くマーカーｍの線状がきれいに現われる。
【００３５】
そして、制御片２７が原位置に復帰する（復帰ばね１８の作用が中止される）と、押圧子２５は案内片２６の摺接縁２８の突縁部２８ａに再び乗り上がることになり、ノズルは閉塞されるのである。
【００３６】
なお、実施形態の制御片２７を省略したときは、押圧子２５が摺接縁２８の往復移動時に凹入縁部２８ｂ位置にある間、ノズルからの噴霧が行われることになる。
【００３７】
実施形態のように復帰ばね１８の弾性が作用するときだけ、噴霧操作を行うようにしたのは、復帰ばね１８の強弱によって一定の状態で噴霧が行われ、均一な操作を望むことができるからである。
【００３８】
【発明の効果】
本発明は前記の通りの構成であるから、機械的操作によってスプレー罐のノズルを確実に開放することができ、種々の分野に利用のできる装置を提供できる。
【図面の簡単な説明】
【図１】一部欠截正面図。
【図２】図１の一部欠截拡大図。
【図３】図２の平面図。
【図４】図３のｙ−ｙ線断面図。
【図５】押圧子と摺接縁の関係の断面図。
【図６】レール締結装置にマーカーを付した状態の平面図。
【符号の説明】
６      装置基枠
１０    スプレー罐
１０Ａ  罐本体
１０Ｂ  ノズル材
１１    スプレー罐ホルダー
１５    押圧片
１６    受圧片
１８    復帰ばね
２１    操作片
２４    コイルばね
２５    押圧子
２８    摺接縁
【図１】
2004202360.tif 000003
【図２】
2004202360.tif 000004
【図３】
2004202360.tif 000005
【図４】
2004202360.tif 000006
【図５】
2004202360.tif 000007
【図６】
2004202360.tif 000008